(57)【要約】【課題】露呈した表示面に画像全体を表示することができるデジタルカメラを提供する。【解決手段】液晶パネル１３は表示面３０がカメラ本体によって覆われる収納位置と、表示面３０の３分の２が露呈するショート位置と、表示面３０の全てが露呈する引き出し位置とでクリック係止される。液晶パネル１３の位置はカメラ本体３に備えられたポテンショメータ３５によって検知される。ポテンショメータ３５によって検知された位置を基にして、画像データが表示制御回路６５に含まれた縮小処理回路６２で縮小処理される。縮小処理された画像データは表示制御回路６５から表示面に入力されて表示面３０の露呈した部分に画像全体が表示される。【選択図】        図３
2005020342.tif 000002
【特許請求の範囲】
【請求項１】
イメージセンサからの画像信号を処理して画像データを取得するデジタルカメラにおいて、
画像データを基にして被写体画像が表示される表示面を備え、この表示面全体がカメラ本体で覆われる収納位置と、表示面全体が外部に露呈する基準使用位置との間で移動自在な画像表示装置と、
前記画像表示装置の移動位置を検知する検知手段と、
前記画像表示装置が収納位置と基準使用位置との間の途中位置で使用されるときには、前記検知手段で検知された画像表示装置の位置に応じ、カメラ本体から部分的に露呈している表示面に基準使用位置での被写体像を縮小して表示する表示制御手段とを備えたことを特徴とするデジタルカメラ。
【請求項２】
前記画像表示装置が液晶パネルであり、収納位置から移動したときにカメラ本体の側面から突出することを特徴とすることを特徴とする請求項１に記載のデジタルカメラ。
【請求項３】
前記画像表示装置が柔軟な画像表示シートであり、収納位置では巻軸に巻き付けられた状態で巻軸とともにカメラ本体内に収納され、基準使用位置ではカメラ本体の側面から突出するように軸方向に一定量移動した巻軸から巻解かれることによって、表示面全体が外部に露呈されることを特徴とする請求項１に記載のデジタルカメラ。
【請求項４】
巻軸を前記途中位置に移動して使用するときには、その位置に対応して画像表示シートの巻解き量が決められ、巻軸の位置と画像表示シートの巻解き量で決まる広さの表示面に被写体画像が縮小して表示されることを特徴とする請求項３に記載のデジタルカメラ。
【発明の詳細な説明】
【０００１】
【発明の属する技術分野】
本発明は、イメージセンサからの画像信号に基いて静止画あるいは動画を撮影するデジタルカメラに関し、更に詳しくは撮影時のフレーミングや画像再生時被写体像を表示する画像表示装置の改良に関するものである。
【０００２】
【従来の技術】
ＣＣＤあるいはＭＯＳ型のイメージセンサで得た画像信号に基づいて静止画や動画を撮影するデジタルカメラには、液晶パネルに代表される画像表示装置が設けられている。画像表示装置は、撮影時や再生時に撮影対象となる被写体や記録済みの被写体像の観察に用いられるほか、種々の設定モード下ではメニュー表示にも用いられる。画像表示装置には液晶パネルが多用され、主として静止画を撮影するデジタルカメラでは液晶パネルはカメラ本体の背面に固定して組み込まれ、動画用のものではカメラ本体の側面に折り畳み自在に軸着されているのが通常である。
【０００３】
特許文献１記載の静止画用のデジタルカメラでは液晶パネルがカメラ本体の前面にスライド自在に組み込まれ、不使用時には画像の表示面を内面側に向けて撮影レンズを覆うように収納される。これにより、撮影レンズの保護と液晶パネルの表示面が保護される。また、動画用のデジタルカメラでも不使用時には液晶パネルが表示面を内面側に向けて折り畳まれ、表示面が保護されるようになっている。
【０００４】
【特許文献１】
特開２０００−２１７０２３号公報
【０００５】
【発明が解決しようとする課題】
上記のように、従来のデジタルカメラでは不使用時に画像表示装置の表示面を保護するうえでは有効であるが、使用時には表示面全体が視認できる所定の使用位置まで画像表示装置をスライドさせ、あるいは起立させなければならない。ところが、このような使用位置では画像表示装置がカメラ本体から大きく突出し、例えば人ごみの中で撮影するときには周囲の人の邪魔になりやすい。これを避けるために、特許文献１の画像表示装置のスライド量を小さく抑えると、表示面の一部がカメラ本体で隠れて被写体像の全体を視認することができない。また、特に液晶パネルでは、カメラ本体からの突出量を抑えるために途中まで起立させて用いようとしても、表示面を斜め方向から観察することになるため、色の反転現象など観察画像の品位が極端に低下し、被写体像を正しく観察することができなくなる。
【０００６】
本発明は上記の事情に鑑みてなされたものであり、デジタルカメラに組み込まれた画像表示装置をその不使用時には表示面をカメラ本体で覆って保護し、また使用時にはカメラ本体から大きく突出せずに用いることを可能とするとともに、常に被写体像全体を正しく観察することができるようにしたデジタルカメラを提供することを目的とする。
【０００７】
【課題を解決するための手段】
上記目的を達成するために、本発明のデジタルカメラでは、イメージセンサからの画像信号を処理して画像データを取得するデジタルカメラにおいて、画像データを基にして被写体画像が表示される表示面を備え、この表示面全体がカメラ本体で覆われる収納位置と、表示面全体が外部に露呈する基準使用位置との間で移動自在な画像表示装置と、前記画像表示装置の移動位置を検知する検知手段と、前記画像表示装置が収納位置と基準使用位置との間の途中位置で使用されるときには、前記検知手段で検知された画像表示装置の位置に応じ、カメラ本体から部分的に露呈している表示面に基準使用位置での被写体像を縮小して表示する表示制御手段とを備えたことを特徴とする。
【０００８】
また、前記画像表示装置が液晶パネルであり、収納位置から移動したときにカメラ本体の側面から突出することを特徴とすることを特徴とする。
【０００９】
また、前記画像表示装置が柔軟な画像表示シートであり、収納位置では巻軸に巻き付けられた状態で巻軸とともにカメラ本体内に収納され、基準使用位置ではカメラ本体の側面から突出するように軸方向に一定量移動した巻軸から巻解かれることによって、表示面全体が外部に露呈されることを特徴とする。
【００１０】
また、巻軸を前記途中位置に移動して使用するときには、その位置に対応して画像表示シートの巻解き量が決められ、巻軸の位置と画像表示シートの巻解き量で決まる広さの表示面に被写体画像が縮小して表示されることを特徴とする。
【００１１】
【発明の実施の形態】
以降、本発明を実施した第１実施例を示す。図１（ａ）に本発明のデジタルカメラの外観を示す。カメラ本体３の前面には、レンズ鏡筒４に保持された撮影レンズ５が露出し、ストロボ光を投光するストロボ発光部７、及び被写体と対面するファインダ対物窓８が設けられている。デジタルカメラ２の上面にはシャッタボタン１０が設けられ、シャッタボタン１０を押圧することで被写体の画像データの記録動作が開始される。カメラ本体３には表示装置を格納するための格納スペースが設けられており、そこに表示パネル１３が格納される。
【００１２】
デジタルカメラ２の背面を図１（ｂ）に示す。カメラ本体３の上面にはファインダ接眼部１５が設けられている。カメラ本体３の背面にはデジタルカメラ２のモードを、静止画撮影モード、リプレイモード、動画撮影モードのいずれか１つに設定を切り替える切り替えスイッチ１７と、ズーム等を行なうための操作レバー２０とが備えられている。操作レバー２０の下には、表示装置の液晶画面に表示されたメニューの選択と実行を行なう選択／実行ボタン２２、メニューの実行をキャンセルするキャンセルボタン２４とが設けられている。
【００１３】
液晶パネル１３には表示面３０が備えられており、液晶パネル１３はカメラ本体３からスライド移動させて引き出されるようになっている。液晶パネル１３の底部には、カメラ本体３によってクリック係止されるためのクリック溝が設けられており、液晶パネル１３は、表示面３０全体がカメラ本体３に覆われる収納位置と、表示面３０全体の３分の２が外部に露呈するショート位置と、表示面３０の全てが露呈する引き出し位置との３ヶ所でクリック係止可能になっている。
【００１４】
図２に液晶パネルを下側から観察した説明図を示す。液晶パネル１３の底部１３ａには液晶パネル１３のスライド方向に沿ったラックギヤ３３が設けられている。カメラ本体３には液晶パネルの位置を検知する検知手段であるポテンショメータ３５が固定されており、ポテンショメータ３５にはピニオンギヤ３７が組み付けられている。液晶パネル１３は、カメラ本体側に設けられたクリック爪が、スライド方向に沿って設けられたクリック溝３８に係ることによって収納位置、途中位置であるショート位置、基準使用位置である引き出し位置との３ヶ所でクリック係止される。ピニオンギヤ３７は液晶パネル１３に設けられたラックギヤ３３と噛み合っており、液晶パネル１３がユーザによって引き出されるとともにピニオンギヤ３７が回転し、ポテンショメータ３５によって液晶パネル１３の位置が検知される。
【００１５】
液晶パネル１３が収納位置に位置する場合は、表示面３０はＯＦＦされており、ショート位置に位置する場合は、表示面３０がＯＮされて表示面３０の露呈した部分に画像が表示される。液晶パネル１３が引き出し位置に位置する場合は表示面３０全体に画像が表示される。
【００１６】
図３にデジタルカメラのブロック図を示す。レンズ鏡筒４にはズーミングを行うズーム用モータと焦点調整を行うフォーカス用モータとが組み込まれており、これらのモータはモータコントローラ３９によって駆動制御されている。撮影レンズ５を通して被写体がＣＣＤイメージセンサ４０上に結像され、ＣＣＤイメージセンサ上に結像された被写体像が画像信号に光電変換され、この画像信号がアナログ処理回路４３に入力される。
【００１７】
アナログ処理回路４３は相関二重サンプリング回路と増幅回路とＡ／Ｄ変換回路とからなり、相関二重サンプリング回路で画像信号がＣＣＤイメージセンサの各セルごとのＲＧＢアナログ信号に変換される。ＲＧＢアナログ信号は増幅回路で増幅され、Ａ／Ｄ変換回路で画像データにデジタル変換されて被写体の画像データが生成される。この一連の動作はＣＰＵ４７によって制御されており、ＣＰＵ４７はデジタルカメラの動作全般の制御も行なっている。
【００１８】
静止画撮影モードにおいてシャッタボタン１０が押下されると、画像データがバッファメモリ４５に蓄積され、バッファメモリ４５に蓄積された画像データは画像処理回路５０に入力され、ここでホワイトバランス、ガンマ補正、輪郭補正などの各種補正が行なわれ、補正の行なわれた画像データはバッファメモリ４５に一時的に記憶される。
【００１９】
バッファメモリ４５に記憶された画像データは圧縮処理回路５５に入力されて、所定の画質モードで圧縮される。圧縮処理された画像データはメディアコントローラ５８に入力されて、デジタルカメラに装着されている記録メディア６０に記録される。
【００２０】
静止画撮影モードあるいは動画撮影モードにおいて液晶パネル１３がＯＮされている場合、アナログ処理回路４３から表示制御回路６５に画像データが入力される。再生モードでは記録メディア６０に記録された画像データがメディアコントローラ５８を介して表示制御回路６５に入力される。
【００２１】
カメラ本体３から液晶パネル１３が引き出されると、ポテンショメータ３５が液晶パネル１３の位置を検知し、ポテンショメータ３５から表示制御手段である表示制御回路６５に位置信号が入力される。液晶パネル１３がショート位置に位置する場合は、露呈した表示面３０の大きさに対応して、画像データが表示制御回路６５に含まれる縮小処理回路６２で縮小処理される。縮小処理された画像データが表示面に入力され、表示面３０の露呈した部分に画像全体が表示される。
【００２２】
図４に、液晶パネル１３がカメラ本体から引き出され、露呈した表示面に画像が表示された平面図を示す。図４（ａ）に示すように、液晶パネル１３がすべて引き出された場合では、ポテンショメータ３５によって液晶パネル１３の位置が検知される。検知された位置に基づいて通常の画像データが表示面３０に入力され、バックライト用の白色ＬＥＤが点灯し、表示面３０全体に通常サイズの画像が表示される。
【００２３】
図４（ａ）に示すように、液晶パネル１３がショート位置まで引き出されると、液晶パネル１３の位置がポテンショメータ３５に検知されて表示面３０がＯＮされて表示面３０に縮小処理された画像データが入力され、白色ＬＥＤが点灯し、表示面３０の露呈した部分に横サイズが縮小された画像が表示される。なお、白色ＬＥＤを表示面３０の下部にスライド方向に複数配列させた場合、液晶画面３０の外部に露呈した部分を明るくするように白色ＬＥＤを点灯することで、消費電力の低減が期待できる。
【００２４】
上記構成の作用を図５のフローチャートを用いて説明する。液晶パネル１３がカメラ本体から引き出され、ショート位置と引き出し位置とのうち、どちらか一方のユーザの好みの位置で係止される。液晶パネル１３がカメラ本体３から引き出されると、液晶パネル１３の位置がポテンショメータ３５によって検知される。
【００２５】
以下、ショート位置で液晶パネル１３が係止された場合について説明する。検知された液晶パネル１３の位置に基づいて、縮小処理回路６２で画像データの横サイズが縮小される。縮小された画像データが表示面３０に入力されて、表示面３０の露呈した部分に画像が表示される。
【００２６】
また、上記の第１実施例では液晶パネル１３が収納位置、ショート位置、引き出し位置の３つの位置でクリック係止されるようにしたが、液晶パネルが係止される位置はこれに限らず、これより多くしてもよく、保持方法もクリック機構による係止でなくてもよい。例えば、摩擦力の強い材料を液晶パネルの底部に接触させ、これによって液晶パネルをユーザの好みの位置で保持するようにすることも可能である。液晶パネルの位置をポテンショメータによって検出し、検出された位置から表示面の露呈した部分に収まるように画像データが縮小され、表示面の露呈した部分に画像全体を表示することも可能である。
【００２７】
また、上記の第１実施例では、液晶パネル１３が係止されるそれぞれの位置で単一の画像を表示したが、液晶パネルの位置に応じて表示面の露呈した部分に複数の種類の画像を表示するようにしてもよい。例えば、図６に示すように、液晶パネル１３を全て引き出した場合に、被写体の画像の他に、メニュー画像も表示するようにしてもよい。
【００２８】
また、横に長いパノラマ画像データを取得するパノラマ撮影機能を持つデジタルカメラに本発明を実施してもよい。例えば、図７に示すように液晶パネル１３が全て引き出されて表示面全体が露呈した場合にはパノラマ画像が表示されるようにし、ショート位置ではパノラマ画像を縮小処理した画像データを表示面の露呈した部分に表示することもできる。
【００２９】
次に、本発明を実施した第２実施例について説明する。なお、同じ機能を有するものについては同じ符号を付して説明を省略する。
【００３０】
図８（ａ）と（ｂ）とに示すように、撮影レンズを備え、被写体を撮影して画像データを取得するカメラ本体６８には、電子ペーパー７０が備えられている。電子ペ−パー７０は巻軸７２と画像表示手段である画像表示シート７５とからなる。画像表示シート７５は巻軸７２に巻き付けられ、巻軸７２がカメラ本体６８に格納されて表示面７６全体がカメラ本体に覆われる収納位置と、巻軸７２がカメラ本体６８から引き出され、画像表示シート７５が巻軸７２から巻き解かれて表示面７６全体が露呈した展開位置との間で移動される。画像表示シート７５を巻解く場合は、ユーザが画像表示シートの端をつまんで画像表示シート７５を下に引き下げる。なお、電子ペーパーとしては米国イーインク社のＥインク方式を用いる。
【００３１】
図９に電子ペーパー７０の構造を図示する。巻き軸７２は外側の先端に位置する引き出しノブ７７に伸縮自在な伸縮ロッド７８が固定され、伸縮ロッド７８の周りは画像表示シート７５を保護する格納カバー８０で覆われている。伸縮ロッド７８には画像表示シート７５の一端が接続され、伸縮ロッド７８に巻き付けられるようになっている。伸縮ロッド７８のカメラ本体側の端にはギヤ８２が組み付けられ、検知手段である第１ポテンショメータ８５にはギヤ８２と係合する係合ギヤ８４が取り付けられている。また、カメラ本体６８には、格納カバー８０に接触して回転するローラー８６が設けられ、ローラー８６は検知手段である第２ポテンショメータ８８に取り付けられている。
【００３２】
格納カバー８０と引き出しノブ７７とは組み付けられており、格納カバーは引き出しノブとともに引き出し方向に移動するが、引き出しノブ７７が回動しても格納カバー８０は回動しないようにカメラ本体によって支持されている。ユーザが引き出しノブ７７をつまみカメラ本体の外側に引き出すと、伸縮ロッド７８が伸び、格納カバー８０も外側に移動する。このときローラー８６が回転し第２ポテンショメータ８８が巻軸７２の位置を検知する。画像表示シート７５を引っ張ると伸縮ロッド７８が回動し、これに伴なって係合ギヤ８４が回動して第１ポテンショメータ８５が画像表示シート７５の巻解き量を検知する。
【００３３】
図１０に画像表示シートの断面図を示す。画像表示シート７５は電気泳動を利用して画像を表示するようになっており、一対の基体シート９０の間に電極９２がマトリックス状に設けられ、この電極間に電気泳動層９４が設けられている。電気泳動層９４には白色の泳動粒子９５が黒色の溶媒９６に移動可能に分散されたカプセル９７が多数含まれており、電気泳動層９４に電場がマトリックス状に印加されて、泳動粒子９５が移動され、これにより白あるいは黒が示されるようになっている。電極は伸縮ロッド７８を介してカメラ本体６８と接続されており、電極９２には、カメラ本体６８に設けられた表示制御手段である表示制御回路から電場発生用の電流が入力される。
【００３４】
図１１に電子ペーパー７０を備えたデジタルカメラのブロック図を示す。カメラ本体６８には、画像表示シート７５の巻解き量を検知する第１ポテンショメータ８５と巻軸７２の位置を検知する第２ポテンショメータ８８とが備えられている。第１ポテンショメータ８５と、第２ロポテンショメータ８８とから出力される信号に応じて画像データの表示サイズが表示制御回路９８に含まれた縮小処理回路６２で縮小処理される。
【００３５】
縮小処理された画像データを基にして表示シート７５の電極間に電場が形成され、表示面７６の露呈した部分には画像全体が縮小表示される。
【００３６】
なお、上記の実施形態では、巻軸７２から表示シート７５が巻き解かれて表示面７６が露呈したが、予め平面状に形成された画像表示シートがカメラ本体から引き出されることによって表示面が露呈するようにしてもよい。
【００３７】
また、上記の実施形態では、画像表示シートの位置を、巻軸７２の回転を検知する第１ポテンショメータと巻軸の位置を検知する第２ポテンショメータとを用いて検知したが、これ以外の方法で画像表示シートの位置を検知してもよい。
【００３８】
また、上記の電子ペーパー７０では、画像表示シート７５がユーザによって巻軸７２から引き出されることによって表示面７６が露呈したが、巻軸がカメラ本体から引き出されると、これに応じて自動的に画像表示シートが巻軸から巻解かれ、巻軸の位置によって画像表示シートの巻解き量が決められるようにしてもよい。これによってポテンショメータの数を減らすことができる。また、ユーザが画像表示シートをつまんで巻解く作業なくして、より利便性の高い画像表示装置とすることができる。
【００３９】
【発明の効果】
以上のように、本発明のデジタルカメラによれば、検知手段と表示制御手段とを設けたことにより、表示面の露呈した部分に画像全体を表示することができる。また、画像表示装置として画像表示シートを用いたことにより、画像表示装置がコンパクトになり、カメラ本体に設けられた画像表示装置の収納スペースを小さくすることができる。
【図面の簡単な説明】
【図１】本発明を実施したデジタルカメラの斜視図である。
【図２】液晶パネルの底部の構造を説明する斜視図である。
【図３】デジタルカメラのブロック図である。
【図４】液晶パネルがショート位置に位置した場合の表示面と、液晶パネルが引き出し
位置に位置した場合の表示面とを示した平面図である。
【図５】表示面に画像が表示されるまでを示したフローチャートである。
【図６】引き出し位置で表示面に複数の画像が表示されたことを説明する説明図である
。
【図７】引き出し位置で表示面にパノラマ画像が表示されたことを説明する説明図であ
る。
【図８】画像表示シートを備えたデジタルカメラの外観図である。
【図９】画像表示シートの構造を示す説明図である。
【図１０】画像表示シートの断面図である。
【図１１】画像表示シートを備えたデジタルカメラのブロック図である。
【符号の説明】
３  カメラ本体
１３  液晶パネル
３０  表示面
３５  ポテンショメータ
６２  縮小処理回路
６５  表示制御回路
７０  電子ペーパー
７２  巻軸
７５  画像表示シート
８５  第１ポテンショメータ
８８  第２ポテンショメータ
９８  表示制御回路
【図１】
2005020342.tif 000003
【図２】
2005020342.tif 000004
【図３】
2005020342.tif 000005
【図４】
2005020342.tif 000006
【図５】
2005020342.tif 000007
【図６】
2005020342.tif 000008
【図７】
2005020342.tif 000009
【図８】
2005020342.tif 000010
【図９】
2005020342.tif 000011
【図１０】
2005020342.tif 000012
【図１１】
2005020342.tif 000013